(57)【要約】【課題】正規のカードより外形の小さなカードを誤って挿入した場合であっても当該カードを好適に取り出すことができる取出し機構付きカードコネクタの提供。【解決手段】カード挿入部２を有するハウジング３と、カード挿入部２の内底面より突出する複数のコンタクト４，４...と、カードの前端縁が当接されるアーム部５を有する移動可能なスライダ６と、スライダ６を押し出し方向に付勢する押し出しバネ７と、スライダ６を所望の押し込み位置で固定するロック手段とを備え、アーム部５を挿入が想定される全てのカードＡ，Ｂの前端縁が当接可能な長さに形成するとともに、アーム部５の押し出しバネ７とカード幅方向に所望の距離を隔てた位置にアーム部５の片面又は両面より突出した規制凸部３０を備え、規制凸部３０をハウジング３の天板又は底板に形成されたカード挿抜方向に向けたガイド溝１９に案内させた。【選択図】図４
2015005333.tif 000002
【特許請求の範囲】
【請求項１】
カードが挿入されるカード挿入部を有するハウジングと、前記カード挿入部の内底面より突出する弾性接触片を有する複数のコンタクトと、前記カードの前端縁が当接されるアーム部を有する移動可能なスライダと、該スライダを押し出し方向に付勢する押し出しバネと、前記スライダを所望の押し込み位置で固定するロック手段とを備えた取出し機構付きカードコネクタにおいて、
前記アーム部を挿入が想定される全てのカードの前端縁が当接可能な長さに形成するとともに、該アーム部の前記押し出しバネとカード幅方向に所望の距離を隔てた位置に該アーム部の片面又は両面より突出した規制凸部を備え、
該規制凸部を前記ハウジングの天板又は底板に形成されたカード挿抜方向に向けたガイド溝に案内させたことを特徴としてなる取出し機構付きカードコネクタ。
【請求項２】
前記アーム部は、前記カード挿入部を横切る長さに形成された請求項１に記載の取出し機構付きカードコネクタ。
【請求項３】
前記カード挿入部の奥部であって、前記押し出しバネとカード幅方向に所望の距離を隔てた位置に前記アーム部を押し出し方向に付勢する補助押し出しバネを備えた請求項１又は２に記載の取出し機構付きカードコネクタ。
【請求項４】
前記ロック手段は、一端が前記ハウジングに枢支されたロックピンと、前記スライダに形成されたハートカム式のループ状をしたピンガイド溝とを備え、該ピンガイド溝に前記ロックピンの他端に形成された規制部が摺動可能に挿入され、初めのカード押し込み動作により前記規制部がハートカムと係合する位置に移動し、再度の押し込み動作により前記ハートカムとの係合が解除される位置に移動するようにしたプッシュイン・プッシュアウト方式である請求項１、２又は３に記載の取出し機構付きカードコネクタ。
【発明の詳細な説明】
【技術分野】
【０００１】
本発明は、携帯電話機やスマートフォン等の電子機器にＩＣカードやフラッシュメモリーカード等のカードを接続するためのカードコネクタであって、特にカードの取出し機構を備えた取出し機構付きカードコネクタに関する。
【背景技術】
【０００２】
従来、この種のカードコネクタには、ハウジングの側部にカードと共に移動するスライダと、スライダを押し出し方向に付勢する押し出しバネと、ハートカム機構等のスライダを所定の位置でロックするロック手段とを備えた取出し機構付きカードコネクタが広く知られている。
【０００３】
この取出し機構付きカードコネクタは、スライダにカードの前端縁が当接されるアーム部を備え、ハウジングにカードを挿し込むとカードの前端縁がアーム部に当接し、その状態から押し出しバネに抗してスライダを押し込むことにより、スライダが所定の押し込み位置まで移動し、その位置でスライダがロック手段によってロックされるようになっている。
【０００４】
そして、カードを取り出す際には、ロック手段を解除すると押出しバネに押されてスライダが押し出し方向に移動し、それに伴いカードの前縁部に当接したアーム部がカードを押し出すようになっている。
【０００５】
一方、このようなカードコネクタは、使用されるカードの仕様毎にカード挿入部の大きさが異なるため、正規のカードより外形の小さなカードを誤って挿入してしまう場合があり、その場合、上述の如き従来の取出し機構付きカードコネクタでは、アーム部の長さが足りないとアーム部にカードの前縁部が当接せず、誤挿入されたカードを取り出すことができなくなる虞があった。
【０００６】
そこで、このような問題を鑑み、アームの長さを長く設定し、誤って挿入されたカードであっても、その前端縁がアーム部と当接し、取出し機構を用いてその誤ったカードを取り出せるようにした取出し機構付きカードコネクタが開発されている（例えば、特許文献１を参照）。
【先行技術文献】
【特許文献】
【０００７】
【特許文献１】特開２００８−１４００３０号公報
【発明の概要】
【発明が解決しようとする課題】
【０００８】
しかしながら、上述の如き従来の技術では、正規のカードより外形の小さなカードを誤って挿入した場合、カードによる押し込み力がアーム部の一端側に偏って作用し、更に、他端側には押し出しバネによる押し出し方向の付勢力が作用するため、アーム部に回転モーメントが生じ、当該回転モーメントによってスライダが破損する虞やスライダの移動を阻害する虞があった。
【０００９】
そこで、本発明は、このような従来の問題に鑑み、正規のカードより外形の小さなカードを誤って挿入した場合であっても当該カードを好適に取り出すことができる取出し機構付きカードコネクタの提供を目的としてなされたものである。
【課題を解決するための手段】
【００１０】
上述の如き従来の問題を解決するための請求項1に記載の発明の特徴は、カードが挿入されるカード挿入部を有するハウジングと、前記カード挿入部の内底面より突出する弾性接触片を有する複数のコンタクトと、前記カードの前端縁が当接されるアーム部を有する移動可能なスライダと、該スライダを押し出し方向に付勢する押し出しバネと、前記スライダを所望の押し込み位置で固定するロック手段とを備えた取出し機構付きカードコネクタにおいて、前記アーム部を挿入が想定される全てのカードの前端縁が当接可能な長さに形成するとともに、該アーム部の前記押し出しバネとカード幅方向に所望の距離を隔てた位置に該アーム部の片面又は両面より突出した規制凸部を備え、該規制凸部を前記ハウジングの天板又は底板に形成されたカード挿抜方向に向けたガイド溝に案内させた取出し機構付きカードコネクタにある。
【００１１】
請求項２に記載の発明の特徴は、請求項１の構成に加え、前記アーム部は、前記カード挿入部を横切る長さに形成されたことにある。
【００１２】
請求項３に記載の発明の特徴は、請求項１又は２の構成に加え、前記カード挿入部の奥部であって、前記押し出しバネとカード幅方向に所望の距離を隔てた位置に前記アーム部を押し出し方向に付勢する補助押し出しバネを備えたことにある。
【００１３】
請求項４に記載の発明の特徴は、請求項１、２又は３の構成に加え、前記ロック手段は、一端が前記ハウジングに枢支されたロックピンと、前記スライダに形成されたハートカム式のループ状をしたピンガイド溝とを備え、該ピンガイド溝に前記ロックピンの他端に形成された規制部が摺動可能に挿入され、初めのカード押し込み動作により前記規制部がハートカムと係合する位置に移動し、再度の押し込み動作により前記ハートカムとの係合が解除される位置に移動するようにしたプッシュイン・プッシュアウト方式であることにある。
【発明の効果】
【００１４】
本発明に係る取出し機構付きカードコネクタは、上述したように、カードが挿入されるカード挿入部を有するハウジングと、前記カード挿入部の内底面より突出する弾性接触片を有する複数のコンタクトと、前記カードの前端縁が当接されるアーム部を有する移動可能なスライダと、該スライダを押し出し方向に付勢する押し出しバネと、前記スライダを所望の押し込み位置で固定するロック手段とを備えた取出し機構付きカードコネクタにおいて、前記アーム部を挿入が想定される全てのカードの前端縁が当接可能な長さに形成するとともに、該アーム部の前記押し出しバネとカード幅方向に所望の距離を隔てた位置に該アーム部の片面又は両面より突出した規制凸部を備え、該規制凸部を前記ハウジングの天板又は底板に形成されたカード挿抜方向に向けたガイド溝に案内させたことにより、正規のカードよりも外形の小さなカードが誤って挿入され、カードによる押し込み力がアーム部の一端側に偏って作用し、アーム部に回転モーメントが生じても、アーム部が規制凸部を介してガイドされているので当該回転モーメントに対抗でき、スライダの破損を防止することができる。
【００１５】
また、本発明において、前記アーム部は、前記カード挿入部を横切る長さに形成されたことにより、挿入が想定される全てのカードの前端縁が当接可能となる。
【００１６】
更に、本発明において、前記カード挿入部の奥部であって、前記押し出しバネとカード幅方向に所望の距離を隔てた位置に前記アーム部を押し出し方向に付勢する補助押し出しバネを備えたことによって、カードの押し込みが進むにつれて増大するアーム部の回転モーメントを緩和することができる。
【００１７】
更にまた、本発明において、前記ロック手段は、一端が前記ハウジングに枢支されたロックピンと、前記スライダに形成されたハートカム式のループ状をしたピンガイド溝とを備え、該ピンガイド溝に前記ロックピンの他端に形成された規制部が摺動可能に挿入され、初めのカード押し込み動作により前記規制部がハートカムと係合する位置に移動し、再度の押し込み動作により前記ハートカムとの係合が解除される位置に移動するようにしたプッシュイン・プッシュアウト方式であることによって、ロック及びロック解除の際の押し込み動作において回転モーメントが抑制される。
【図面の簡単な説明】
【００１８】
【図１】本発明に係る取出し機構付きカードコネクタの一例を示す斜視図である。
【図２】同上の分解斜視図である。
【図３】図１中のＡ−Ａ線拡大断面図である。
【図４】同上のシールドカバーを外した状態を示す平面図である。
【図５】同上のカードを装着した状態を示す平面図である。
【図６】図１中のハウジング本体を示す平面図である。
【図７】図６中の金属部材の配置を示す斜視図である。
【図８】（ａ）は図２中のスライダを示す斜視図、（ｂ）は同下側から見た斜視図である。
【図９】スライダ本体部を示す部分拡大平面図である。
【図１０】（ａ）〜（ｃ）は非正規のカードを挿入した際の状態を示すシールドカバーを外した状態の平面図である。
【発明を実施するための形態】
【００１９】
次に、本発明に係る取出し機構付きカードコネクタの実施の態様を図１〜図１０に示した実施例に基づいて説明する。尚、図中符号ＡはマイクロＳＤカード等の正規カード、符号Ｂは正規カードＡより外形の小さなカードである。
【００２０】
この取出し機構付きカードコネクタ１（以下、カードコネクタ１という）は、カードＡが挿入されるカード挿入部２を有するハウジング３と、カード挿入部２の内底面より突出する弾性接触片を有する複数のコンタクト４，４...とを備え、カード挿入部２に挿入されたカードＡの片面側に露出した信号伝達パッド（図示せず）が対応する各コンタクト４，４...と接触することにより、カードコネクタ１を介してカードＡと実装基板とを電気的に接続するようになっている。
【００２１】
また、このカードコネクタ１は、カードＡの前端縁が当接されるアーム部５を有する移動可能なスライダ６と、スライダ６を押し出し方向に付勢する押し出しバネ７と、スライダ６を所望の押し込み位置で固定するロック手段とを備え、ロック手段を解除した際、押し出しバネ７に付勢されたスライダ６のアーム部５に押されてカードＡが取出されるようになっている。
【００２２】
ハウジング３は、図２に示すように、絶縁性合成樹脂からなる底板部１３を有するハウジング本体１０と、その上面部、背面部及び側面部を覆う導電性金属板材からなるシールドカバー１１とを組み合わせることにより、そのカード挿入方向手前側端が開口した中空箱形状に形成されている。
【００２３】
ハウジング本体１０は、弾性を有する導電性金属板材をプレス加工することによって図７に示す如き配置に形成された金属部材１２をインサート成形することにより形成され、合成樹脂製の平板状の底板部１３と、底板部１３の両側縁より立ち上げた側壁部１４ａ，１４ｂとを備え、底板部１３と両側壁部１４ａ，１４ｂとによって、上面側が凹んだ形状のカード挿入部２が形成され、且つ、一方の側壁部１４ａの内側に後述するスライダ本体２０が移動可能に収容されるスライダ収容部１５が形成され、カード挿入部２及びスライダ収容部１５の上面部がシールドカバー１１によって覆われる。
【００２４】
金属部材１２は、平面視コ字状の金属部材底板部１６と、金属部材底板部１６の両側縁より鉛直上向きに立ち上げた形状の両側壁部１４ａ，１４ｂとを備え、金属部材１２が底板部１３に組み込まれることによりハウジング本体１０の両側壁部１４ａ，１４ｂが形成される。
【００２５】
また、金属部材１２は、奥側部に補助押し出しバネ１７を一体に備え、底板部１３に当該補助押し出しバネ１７がカード挿入部２の奥側に突出するように組み込まれるようになっている。
【００２６】
補助押し出しバネ１７は、図６、図７に示すように、金属部材底板部１６の奥側縁より立ち上げた基端部１７ａと、基端部１７ａから内向きアーム先端側に向けて傾斜した形状のバネ本体１７ｂとを備え、片持ち板ばね状をなしている。
【００２７】
スライダ収容部１５は、金属部材底板部１６が露出してカード挿抜方向と平行な凹段溝状に形成され、この凹段溝にスライダ本体２０の下面部が移動可能に収容される。
【００２８】
尚、このスライダ収容部１５の底面部、即ち、露出した金属部材底板部１６には、カード挿抜方向に長いスリット状の本体ガイド溝１８が形成されている。
【００２９】
一方、このハウジング本体１０には、他方の側壁部１４ｂの内側にカード挿抜方向に向けたスリット状のガイド溝１９が形成され、後述する規制凸部３０が移動可能に挿入されるようになっている。
【００３０】
また、底板部１３には、金属部材１２とともにインサート成形によって複数のコンタクト４，４...が一体的に組み込まれ、カード挿入部２の底面より各コンタクト４，４...の弾性接触片部が突出し、カード挿入部２に挿入されたカードＡの各信号伝達パッドと接触するようになっている。
【００３１】
スライダ６は、図８に示すように、絶縁性合成樹脂材により一体成形され、スライダ本体２０と、スライダ本体２０の前端側部に突設されたアーム部５とを備え、スライダ本体２０とアーム部５とが平面視Ｌ字状を成している。
【００３２】
スライダ本体２０は、矩形駒状に形成され、下面に本体ガイド溝１８に挿入されるガイド突条２１が一体に突設されている。
【００３３】
また、スライダ本体２０の手前外側部には、押し出しバネ７の一端が固定されるバネ固定部２２が形成され、押し出しバネ７の他端がハウジング本体１０の奥側側面に反力を取ってスライダ本体２０を押し出し方向に付勢するようになっている。
【００３４】
また、スライダ本体２０は、上面部にハートカム式のループ状をしたピンガイド溝２３が形成され、このピンガイド溝２３と一端がハウジング３に枢支されたロックピン２４とをもってプッシュイン・プッシュアウト方式のロック手段を構成している。
【００３５】
ロックピン２４は、一端に下向きに折り曲げた形状の枢軸部２４ａを備え、この枢軸部２４ａがハウジング本体１０奥側に形成された軸支部２５に挿入され、ロックピン２４の回動中心軸を構成している。また、ロックピン２４の他端部には、下向きに折り曲げた形状の規制部２４ｂが形成されており、この規制部２４ｂがスライダ本体２０に形成されたピンガイド溝２３内に挿入されている。
【００３６】
また、ロックピン２４は、シールドケースに打ち抜きにより形成された押し下げバネ１１ａによってピンガイド溝２３の底部側に付勢され、規制部２４ｂがピンガイド溝２３の底部より浮き上がらないようにしている。
【００３７】
ピンガイド溝２３は、図９に示すように、スライダ本体２０の表面にハートカム式のループ状に形成され、ハートカム２６の両側部に配置された往路部２３Ａ及び復路部２３Ｂと、ハートカム２６のくぼみ側に配置されたロック部２３Ｃとにより構成されている。尚、図中符号２３Ｄは、往路部２３Ａと復路部２３Ｂとが合流する往復共通部である。
【００３８】
このピンガイド溝２３にロックピン２４先端の規制部２４ｂが挿入されて、往路部２３Ａ、ロック部２３Ｃ及び復路部２３Ｂに沿って順次循環するようになっており、規制部２４ｂが循環中逆戻りしないように、往路部２３Ａ、ロック部２３Ｃ及び復路部２３Ｂの底部は、移動方向の終端側が高くなるように傾斜して形成され、各部の繋ぎ目部分に移動方向規制用の段部２７Ａ〜２７Ｄが形成されている。
【００３９】
ロックピン２４の規制部２４ｂは、カード未挿入状態において、原点停止位置ａにあり、カード押し込み動作に連動してスライダ６が移動すると、往路部２３Ａを移動し、押し込み操作力を解除すると押し出しバネ７により押し出し停止位置ａ側に戻るようになっている。
【００４０】
一方、押し込み動作によって、規制部２４ｂが往路部２３Ａの末端位置ｂまで到達すると、段部２６Ａによって往路部２３Ａ側への移動が規制され、その位置で押し込み操作力を解除することにより係合位置ｃに移動する。
【００４１】
そして、係合位置ｃに規制部２４ｂが位置することにより、ハートカム２６を介して規制部２４ｂがスライダ６と互いに係合され、図５に示すように、それによりロックピン２４が突っかえ棒の役割を担い、スライダ６の移動を規制するようになっている。
【００４２】
一方、係止解除のために再度のカード押し込み動作、即ちプッシュアウト動作すると、段部２７Ｂによって往路部２３Ａ側への移動が規制され、規制部２４ｂが末端停止位置ｄに移動し、その位置ｄで押し込み操作力を解除することにより、段部２７Ｃによって係合位置ｃ側への移動が規制され、スライダ本体２０が押し出しバネ７に押圧されて移動し、規制部２４ｂが復路部２３Ｂ及び往路復路共通部２３Ｄを通って原点位置ａに復帰する。
【００４３】
アーム部５は、スライダ本体２０の前端部側面よりカード幅方向に延出し、想定される全てのカードＡ，Ｂの前端縁が当接可能な長さとなるように形成され、本実施例では、カード挿入部２を横切る長さに形成されている。
【００４４】
また、アーム部５は、押し出しバネ７とカード幅方向で所望の距離を隔てた位置、好ましくは先端部に下面より突出した規制凸部３０を備え、規制凸部３０をハウジング３の底板部１３に形成されたカード挿抜方向に向けたガイド溝１９に挿入させ、スライダ本体２０の移動に合わせてアーム部５を案内させるようになっている。
【００４５】
また、アーム部５は、下面部に下及び前後方向に開放された複数の回避溝３１，３１...を各コンタクト４，４...に対応した配置に備えて櫛刃状に形成され、カード挿入部２の内底面上を摺動する際にコンタクト４，４...と干渉しないようになっている。
【００４６】
このように構成された取出し機構付きカードコネクタ１は、規定のカードＡよりも外形の小さなカードＢが誤って挿入された場合、そのカードＢを押し込むと、カードＢに押されて押し出しバネ７の付勢力に対抗しつつスライダ６がカード挿入部２奥側に向けて移動する。
【００４７】
その際、カードＢがカード挿入部２のスライダ収容部１５とは反対側に偏って挿入されていると、カードＢに押されるとともに、押し出しバネ７による付勢力によってアーム部５に回転モーメントが作用するが、アーム部５は、先端部の下面より突出した規制凸部３０を有し、その規制凸部３０をガイド溝１９に挿入させてガイドさせているので、当該回転モーメントに対抗し、アーム部５の回動が抑制され、スライダ６の変形が防止される。
【００４８】
一方、カードＢを押し込むにつれて押し出しバネ７が圧縮されて押し出しバネ７による付勢力が増し、アーム部５に作用する回転モーメントも大きくなる。
【００４９】
そこで、このカードコネクタ１では、図１０（ｂ）〜（ｃ）に示すように、スライダ６のアーム部５背面がカード挿入部２の奥部に配置された補助押し出しバネ１７に接触し、アーム部５に押し出し方向の付勢力を加えることにより、当該回転モーメントを緩和し、アーム部５の回動が抑制され、スライダ６の変形が防止される。
【００５０】
一方、この取り出し機構付きカードコネクタ１では、カードＢがカード幅方向の何れかに偏っていても必ずカードＢの前端縁がアーム部５に当接するので、取り出し機構を用いてカードＢを取り出すことができるようになっている。
【００５１】
その際においても、規制凸部３０がガイド溝１９に案内されているので、スライダ６はカード挿入部２内を円滑に移動し、カードＢを好適に押し出すようになっている。
【００５２】
尚、上述の実施例においては、アーム部５をカード挿入部２を横切る長さに形成し、挿入されるカードの前縁全体がアーム部５に当接するようにした例について説明したが、アーム部５の長さはこれに限定されず、挿入が想定される全てのカードの前端縁の一部が当接可能な長さであればよい。
【００５３】
また、上述の実施例では、規制凸部３０をアーム部５の先端部下面に突設した例について説明したが、規制凸部３０の位置は、これに限定されず、例えば、規制凸部３０をアーム部５の中央部上面に突設し、ガイド溝１９をシールドカバー１１の天板に形成するようにしてもよい。
【００５４】
更に、上述の実施例では、押し出し補助バネ１７を片持ち板ばね状に形成した例について説明したが、押出し補助バネ１７の態様はこれに限定されず、例えば、コイルスプリングを用い、ハウジング本体１０の奥側面に反力をとってアーム部５を押し出し方向に付勢するようにしてもよい。
【００５５】
更にまた、上述の実施例では、ロック手段にハートカム２６機構を使用したプッシュイン・プッシュアウト方式のものを使用したが、ロック手段の態様はこれに限定されず、例えば、ハウジング本体１０の側面に板ばね状の係合突片を備えておき、スライダ本体２０が所望の押し込み位置に到達した際に当該係合突片とスライダ本体２０とが係合してロックするようにし、操作用のピンで係合突片とスライダ本体２０とのロックが解除できるようにしたもの等であってもよい。
【００５６】
また、上述の実施例では、マイクロＳＤカード等のカードを直接カード挿入部に挿入するようにした例について説明したが、カードの態様は上述の実施例に限定されず、各仕様のカードに適用することができ、また、カードには、カードそのものの他、カードトレイ、カードアダプタ等を含み、これらにも適用することができる。
【符号の説明】
【００５７】
１  取出し機構付きカードコネクタ
２  カード挿入部
３  ハウジング
４  コンタクト
５  アーム部
６  スライダ
７  押し出しバネ
１０  ハウジング本体
１１  シールドカバー
１２  金属部材
１３  底板部
１４  側壁部
１５  スライダ収容部
１６  金属板底板部
１７  補助押し出しバネ
１８  本体ガイド溝
１９  ガイド溝
２０  スライダ本体
２１  ガイド突起
２２  バネ固定部
２３  ピンガイド溝
２４  ロックピン
２５  軸支部
２６  ハートカム
２７  段部
３０  規制凸部
【図１】
2015005333.tif 000003
【図２】
2015005333.tif 000004
【図３】
2015005333.tif 000005
【図４】
2015005333.tif 000006
【図５】
2015005333.tif 000007
【図６】
2015005333.tif 000008
【図７】
2015005333.tif 000009
【図８】
2015005333.tif 000010
【図９】
2015005333.tif 000011
【図１０】
2015005333.tif 000012